(57)【要約】【課題】この発明は、受信した映像信号が無信号状態になった場合に、消費電力を削減して省電力化を図る放送受信装置及び放送受信方法を提供することを目的としている。【解決手段】受信した放送信号から映像信号を復元し、映像メモリ部２６で遅延した映像信号を用いて動き適応型の順次走査変換処理を施す放送受信装置である。そして、復元された映像信号が無信号状態になったとき、映像メモリ部２６に対する映像信号の伝送をスイッチ３３ａ〜３３ｃにより遮断するとともに、電源部３２からの映像メモリ部２６に対する電力供給を停止する。【選択図】    図２
2006019969.tif 000002
【特許請求の範囲】
【請求項１】
放送信号を受信する受信手段と、
前記受信手段で受信された放送信号から映像信号を復元する処理手段と、
前記処理手段で復元された映像信号を遅延させる映像記憶手段と、
前記処理手段で復元された映像信号に、前記映像記憶手段で遅延した映像信号を用いて動き適応型の順次走査変換処理を施す映像処理手段と、
前記処理手段で復元された映像信号が無信号状態になったことを検出する検出手段と、
前記検出手段の検出結果に基づいて、前記映像処理手段と前記映像記憶手段との間における映像信号の伝送を遮断するスイッチ手段と、
前記検出手段の検出結果に基づいて、前記映像記憶手段に対する電力供給を停止する電源手段とを具備することを特徴とする放送受信装置。
【請求項２】
放送信号を受信する受信手段と、
前記受信手段で受信された放送信号から映像信号を復元する処理手段と、
前記処理手段で復元された映像信号を遅延させる映像記憶手段と、
前記処理手段で復元された映像信号に、前記映像記憶手段で遅延した映像信号を用いて動き適応型の順次走査変換処理を施す映像処理手段と、
前記処理手段で復元された映像信号が無信号状態になったことを検出する検出手段と、
前記検出手段の検出結果に基づいて、前記映像処理手段と前記映像記憶手段との間における映像信号の伝送を遮断するスイッチ手段と、
前記検出手段の検出結果に基づいて、前記映像記憶手段をリセットするリセット手段とを具備することを特徴とする放送受信装置。
【請求項３】
前記映像記憶手段は、前記処理手段で復元された映像信号を１フィールド遅延させる第１のメモリと、前記第１のメモリから出力される映像信号をさらに１フィールド遅延させることにより、前記処理手段で復元された映像信号を１フレーム遅延させる第２のメモリとを備え、
前記映像処理手段は、前記処理手段で復元された映像信号と前記第２のメモリから出力される映像信号とに基づいて動き検出を行なう動き検出手段を備え、前記動き検出手段で動画が検出された場合、前記処理手段で復元された映像信号とそれを１水平期間遅延させた信号とを加算した信号を補間信号とし、前記動き検出手段で静止画が検出された場合、前記第１のメモリから出力される映像信号を補間信号として、動き適応型の順次走査変換処理を行なうことを特徴とする請求項１または２記載の放送受信装置。
【請求項４】
映像信号を受信する受信手段と、
前記受信手段で受信された映像信号を遅延させる映像記憶手段と、
前記受信手段で受信された映像信号に、前記映像記憶手段で遅延した映像信号を用いて動き適応型の順次走査変換処理を施す映像処理手段と、
前記受信手段で受信された映像信号が無信号状態になったことを検出する検出手段と、
前記検出手段の検出結果に基づいて、前記映像処理手段と前記映像記憶手段との間における映像信号の伝送を遮断するスイッチ手段と、
前記検出手段の検出結果に基づいて、前記映像記憶手段に対する電力供給を停止する電源手段とを具備することを特徴とする映像受信装置。
【請求項５】
映像信号を受信する受信手段と、
前記受信手段で受信された映像信号を遅延させる映像記憶手段と、
前記受信手段で受信された映像信号に、前記映像記憶手段で遅延した映像信号を用いて動き適応型の順次走査変換処理を施す映像処理手段と、
前記受信手段で受信された映像信号が無信号状態になったことを検出する検出手段と、
前記検出手段の検出結果に基づいて、前記映像処理手段と前記映像記憶手段との間における映像信号の伝送を遮断するスイッチ手段と、
前記検出手段の検出結果に基づいて、前記映像記憶手段をリセットするリセット手段とを具備することを特徴とする映像受信装置。
【請求項６】
前記映像記憶手段は、前記受信手段で受信された映像信号を１フィールド遅延させる第１のメモリと、前記第１のメモリから出力される映像信号をさらに１フィールド遅延させることにより、前記受信手段で受信された映像信号を１フレーム遅延させる第２のメモリとを備え、
前記映像処理手段は、前記受信手段で受信された映像信号と前記第２のメモリから出力される映像信号とに基づいて動き検出を行なう動き検出手段を備え、前記動き検出手段で動画が検出された場合、前記受信手段で受信された映像信号とそれを１水平期間遅延させた信号とを加算した信号を補間信号とし、前記動き検出手段で静止画が検出された場合、前記第１のメモリから出力される映像信号を補間信号として、動き適応型の順次走査変換処理を行なうことを特徴とする請求項４または５記載の映像受信装置。
【請求項７】
放送信号を受信する受信手段と、
前記受信手段で受信された放送信号から映像信号を復元する処理手段と、
前記処理手段で復元された映像信号に、映像メモリを用いて所定の信号処理を施す映像処理手段と、
前記処理手段で復元された映像信号が無信号状態になったことを検出する検出手段と、
前記検出手段の検出結果に基づいて、前記映像メモリの動作を停止させる制御手段とを具備することを特徴とする放送受信装置。
【請求項８】
映像信号を受信する受信手段と、
前記受信手段で受信された映像信号に、映像メモリを用いて所定の信号処理を施す映像処理手段と、
前記受信手段で受信された映像信号が無信号状態になったことを検出する検出手段と、
前記検出手段の検出結果に基づいて、前記映像メモリの動作を停止させる制御手段とを具備することを特徴とする映像受信装置。
【請求項９】
放送信号を受信する第１の工程と、
受信された放送信号から映像信号を復元する第２の工程と、
復元された映像信号を映像記憶手段により遅延させる第３の工程と、
前記第２の工程で復元された映像信号に、映像処理手段により前記映像記憶手段で遅延した映像信号を用いて動き適応型の順次走査変換処理を施す第４の工程と、
前記第２の工程で復元された映像信号が無信号状態になったことを検出する第５の工程と、
前記第５の工程における検出結果に基づいて、前記映像処理手段と前記映像記憶手段との間における映像信号の伝送を遮断する第６の工程と、
前記第５の工程における検出結果に基づいて、前記映像記憶手段に対する電力供給を停止する第７の工程とを具備することを特徴とする放送受信方法。
【請求項１０】
放送信号を受信する第１の工程と、
受信された放送信号から映像信号を復元する第２の工程と、
復元された映像信号を映像記憶手段により遅延させる第３の工程と、
前記第２の工程で復元された映像信号に、映像処理手段により前記映像記憶手段で遅延した映像信号を用いて動き適応型の順次走査変換処理を施す第４の工程と、
前記第２の工程で復元された映像信号が無信号状態になったことを検出する第５の工程と、
前記第５の工程における検出結果に基づいて、前記映像処理手段と前記映像記憶手段との間における映像信号の伝送を遮断する第６の工程と、
前記第５の工程における検出結果に基づいて、前記映像記憶手段をリセットする第７の工程とを具備することを特徴とする放送受信方法。
【請求項１１】
映像信号を受信する第１の工程と、
受信された映像信号を映像記憶手段により遅延させる第２の工程と、
前記第１の工程で受信された映像信号に、映像処理手段により前記映像記憶手段で遅延した映像信号を用いて動き適応型の順次走査変換処理を施す第３の工程と、
前記第１の工程で受信された映像信号が無信号状態になったことを検出する第４の工程と、
前記第４の工程における検出結果に基づいて、前記映像処理手段と前記映像記憶手段との間における映像信号の伝送を遮断する第５の工程と、
前記第４の工程における検出結果に基づいて、前記映像記憶手段に対する電力供給を停止する第６の工程とを具備することを特徴とする映像受信方法。
【請求項１２】
映像信号を受信する第１の工程と、
受信された映像信号を映像記憶手段により遅延させる第２の工程と、
前記第１の工程で受信された映像信号に、映像処理手段により前記映像記憶手段で遅延した映像信号を用いて動き適応型の順次走査変換処理を施す第３の工程と、
前記第１の工程で受信された映像信号が無信号状態になったことを検出する第４の工程と、
前記第４の工程における検出結果に基づいて、前記映像処理手段と前記映像記憶手段との間における映像信号の伝送を遮断する第５の工程と、
前記第４の工程における検出結果に基づいて、前記映像記憶手段をリセットする第６の工程とを具備することを特徴とする映像受信方法。
【発明の詳細な説明】
【技術分野】
【０００１】
この発明は、例えばテレビジョン放送等を受信する放送受信装置及び放送受信方法に係り、特にその無信号時における対策を施したものに関する。
【背景技術】
【０００２】
周知のように、放送受信装置として、例えばテレビジョン受信機の分野においては、受信しているチャンネルが、放送終了等により無信号状態になる場合が多々あるため、それに対する種々の対策が講じられている。
【０００３】
一般的な対策としては、受信しているチャンネルが無信号状態となり、その状態が予め設定された一定時間以上継続した場合、テレビジョン受信機の電源を自動的にオフするという手法が普及している。
【０００４】
また、特許文献１には、受信したチャンネルが無信号状態である場合、自動的に他のチャンネルに切り替えるという動作を繰り返し、最終的に、全てのチャンネルが無信号状態であることが検出されたとき、電源をオフにする構成が開示されている。
【特許文献１】特開平６−６２３２９号公報
【発明の開示】
【発明が解決しようとする課題】
【０００５】
そこで、この発明は上記事情を考慮してなされたもので、受信した映像信号が無信号状態になった場合に、消費電力を削減して省電力化を図るようにした放送受信装置及び放送受信方法を提供することを目的とする。
【課題を解決するための手段】
【０００６】
この発明に係る放送受信装置は、放送信号を受信する受信手段と、受信手段で受信された放送信号から映像信号を復元する処理手段と、処理手段で復元された映像信号を遅延させる映像記憶手段と、処理手段で復元された映像信号に、映像記憶手段で遅延した映像信号を用いて動き適応型の順次走査変換処理を施す映像処理手段と、処理手段で復元された映像信号が無信号状態になったことを検出する検出手段と、検出手段の検出結果に基づいて、映像処理手段と映像記憶手段との間における映像信号の伝送を遮断するスイッチ手段と、検出手段の検出結果に基づいて、映像記憶手段に対する電力供給を停止する電源手段とを備えるようにしたものである。
【０００７】
また、この発明に係る放送受信方法は、放送信号を受信する第１の工程と、受信された放送信号から映像信号を復元する第２の工程と、復元された映像信号を映像記憶手段により遅延させる第３の工程と、第２の工程で復元された映像信号に、映像処理手段により映像記憶手段で遅延した映像信号を用いて動き適応型の順次走査変換処理を施す第４の工程と、第２の工程で復元された映像信号が無信号状態になったことを検出する第５の工程と、第５の工程における検出結果に基づいて、映像処理手段と映像記憶手段との間における映像信号の伝送を遮断する第６の工程と、第５の工程における検出結果に基づいて、映像記憶手段に対する電力供給を停止する第７の工程とを備えるようにしたものである。
【発明の効果】
【０００８】
上記した発明によれば、映像信号が無信号状態になった場合、映像記憶手段に対して、電力供給が停止されるとともに、映像信号の入出力が遮断されことになるため、映像記憶手段で消費される電力がなくなり、省電力化を図ることができる。
【発明を実施するための最良の形態】
【０００９】
以下、この発明の第１の実施の形態について図面を参照して詳細に説明する。図１は、この第１の実施の形態で説明するテレビジョン受信装置１１を正面から見た状態を示している。このテレビジョン受信装置１１は、主として、キャビネット１２と、このキャビネット１２を支持する支持台１３とから構成されている。
【００１０】
このうち、キャビネット１２には、その正面中央部に後述する映像表示部１４の表示面１４ａが配置されている。また、このキャビネット１２には、表示面１４ａの両側に、電源スイッチ１５と、図示しないワイヤレスリモートコントローラから送出された操作情報を受信するための受信部１６とが配置されている。
【００１１】
一方、上記支持台１３は、キャビネット１２の背面中央部に回動自在に連結されるもので、所定の基台１７の水平面上に載置された状態で、キャビネット１２を起立させて支持するように構成されている。
【００１２】
図２は、上記テレビジョン受信装置１１の信号処理系を示している。このテレビジョン受信装置１１は、受信した放送信号に含まれるインターレース形式の映像信号を、プログレッシブ形式の映像信号に変換する動き適応型の順次走査変換処理を行なって、上記映像表示部１４に映像表示させる機能を有している。
【００１３】
すなわち、アンテナ１８で受信された放送信号は、入力端子１９を介して受信部２０に供給される。この受信部２０は、入力された放送信号から所定のチャンネルの信号を抽出し、復調処理を施して元のインターレース形式の映像信号を復元して、セレクタ２１に出力する。
【００１４】
また、外部機器２２から出力されるインターレース形式の映像信号は、入力端子２３を介してセレクタ２１に供給される。
【００１５】
このセレクタ２１は、受信部２０から供給された映像信号と、入力端子２３から供給された映像信号とを、選択的に信号処理部２４内の映像処理部２５に導出している。この映像処理部２５は、入力されたインターレース形式の映像信号に、映像メモリ部２６を使用して動き適応型の順次走査変換処理を施すことにより、プログレッシブ形式の映像信号を生成し上記映像表示部１４に映像表示させている。
【００１６】
ここで、このテレビジョン受信装置１１は、上記した各種の受信動作を含むその全ての動作を制御部２７によって統括的に制御されている。この制御部２７は、ＣＰＵ（Central Processing Unit）等を内蔵しており、前記電源スイッチ１５を含む操作部２８からの操作情報を受け、または、リモートコントローラ２９から送出された操作情報を前記受信部１６を介して受信し、その操作内容が反映されるように各部をそれぞれ制御している。
【００１７】
この場合、制御部２７は、メモリ部３０を利用している。すなわち、このメモリ部３０は、主として、制御部２７のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００１８】
また、上記セレクタ２１から導出された映像信号は、無信号検出部３１に供給される。この無信号検出部３１は、入力された映像信号が無信号状態になったことを検出して検出信号を発生する。
【００１９】
この無信号検出部３１から出力される検出信号は、上記制御部２９と、電源部３２と、各スイッチ３３ａ，３３ｂ，３３ｃとにそれぞれ供給されている。このうち、制御部２９は、検出信号が発生されている間、映像処理部２５に対して、映像メモリ部２６を使用しない、つまり、動き検出を行なわない強制動画処理であるフィールド内処理（順次走査変換処理）を行なわせるように制御する。
【００２０】
また、上記電源部３２は、上記映像メモリ部２６に電源電力を供給するもので、検出信号が供給されている間、映像メモリ部２６への電力供給を停止するように機能する。
【００２１】
また、上記各スイッチ３３ａ〜３３ｃは、映像処理部２５と映像メモリ部２６との間で映像信号を伝送するための複数（図示の場合は３つ）のライン３４ａ，３４ｂ，３４ｃにそれぞれ介在されている。
【００２２】
これら各スイッチ３３ａ〜３３ｃは、通常はオン状態、つまり、導通状態に制御され、映像処理部２５と映像メモリ部２６との間での映像信号の伝送を可能にしている。これにより、この映像処理部２５は、入力映像信号に映像メモリ部２６を使用して動き適応型の順次走査変換処理を施すことができる。
【００２３】
そして、これら各スイッチ３３ａ〜３３ｃは、無信号検出部３１から検出信号が供給されている間、オフ状態、つまり、非導通状態に制御され、映像処理部２５と映像メモリ部２６との間における映像信号の伝送を遮断するように機能する。
【００２４】
このため、セレクタ２１で導出された映像信号が無信号状態になった場合には、映像処理部２５が映像メモリ部２６を使用しないフィールド内処理を実行するように制御され、映像メモリ部２６に対して、電力供給が停止されるとともに、映像信号の入出力が遮断されことになるため、映像メモリ部２６で消費される電力がなくなり、省電力化を図ることができる。
【００２５】
次に、セレクタ２１で導出された映像信号が無信号状態でない場合、つまり、通常状態での映像処理部２５と映像メモリ部２６とによる動き適応型の順次走査変換処理について説明する。
【００２６】
すなわち、セレクタ２１から出力される映像信号と、その映像信号を映像メモリ部２６の２つの１Ｖメモリ２６ａ，２６ｂにより１フレーム遅延した映像信号とが、動き検出部２５ａで比較されることにより、動きが検出される。
【００２７】
そして、動きがある場合には、セレクタ２１から出力される映像信号と、その映像信号を１Ｈメモリ２５ｂにより１水平期間遅延した映像信号とを加算部２５ｃで加算して得られた信号を補間信号として導出するように、切替スイッチ２５ｄが制御される。
【００２８】
また、静止画である場合には、上記映像メモリ部２６の１Ｖメモリ２６ａにより１フィールド遅延した映像信号を補間信号として導出するように、切替スイッチ２５ｄが制御される。
【００２９】
そして、この切替スイッチ２５ｄで導出された補間信号を１／２圧縮部２５ｅにより水平時間軸を１／２に圧縮した信号と、セレクタ２１で導出された元の映像信号を１／２圧縮部２５ｆにより水平時間軸を１／２に圧縮した信号とが、切替スイッチ２５ｇにより交互に導出され、ここに、動き適応型の順次走査変換処理が行なわれる。
【００３０】
ここで、セレクタ２１で選択された信号が、放送信号、つまり、ＲＦ（Radio Frequency）信号であって、それが無信号状態（砂嵐）となった場合には、映像メモリ部２６を使用しない、映像処理部２５だけで処理可能な状態となる。
【００３１】
また、セレクタ２１で選択された信号が、外部機器２２から出力される映像信号であって、それが無信号状態となった場合には黒信号となるので、やはり、映像メモリ部２６を使用しない、映像処理部２５だけで処理可能な状態となる。
【００３２】
すなわち、放送信号であっても、外部機器２２から供給される信号であっても、無信号状態では、映像メモリ部２６は不要となる。このことにより、画質劣化が生じることもない。また、動き適応型の処理をしているため、有信号／無信号の切り替え品位の悪化も生じない。
【００３３】
図３は、上記テレビジョン受信装置１１の主要な動作をまとめたフローチャートを示している。すなわち、処理が開始（ステップＳ１）され、ステップＳ２で、放送信号または外部機器２２からの映像信号が受信されると、無信号検出部３１は、ステップＳ３で、無信号状態であるか否かを判別する。
【００３４】
そして、無信号状態でないと判断された場合（ＮＯ）、無信号検出部３１から検出信号が出力されないため、ステップＳ４で、電源部３２が駆動され、映像メモリ部２６に対して電力供給を行なうため、ステップＳ５で、映像メモリ部２６が駆動状態となる。また、ステップＳ６で、各スイッチ３３ａ〜３３ｃが導通状態に制御される。
【００３５】
これにより、ステップＳ７で、映像処理部２５が映像メモリ部２６を使用して動き適応型の順次走査変換処理を実行する。この場合、動き検出部２５ａにより動画が検出されると前述したフィールド内処理が行なわれ、静止画が検出されると、フレーム処理が行なわれることになる。
【００３６】
その後、ステップＳ８で、映像処理部２５によって動き適応型の順次走査変換処理が施されることによりプログレッシブ形式に変換された映像信号が、映像表示部１４に供給されて映像表示される。
【００３７】
一方、上記ステップＳ３で無信号状態であると判断された場合（ＹＥＳ）、その判断結果は制御部２９にも供給される。すると、制御部２９は、ステップＳ９で、映像処理部２５に対して映像メモリ部２６を使用しない順次走査変換処理を実行させる。すなわち、上記動き検出部２５ａの出力に無関係に、強制的に動画処理であるフィールド内処理を実行させる。
【００３８】
その後、ステップＳ１０で、各スイッチ３３ａ〜３３ｃが非導通状態に制御され、ステップＳ１１で、映像メモリ部２６が動作停止状態となり、ステップＳ１２で、電源部３２が動作を停止し、ステップＳ１３で、映像処理部２５によって順次走査変換処理が施された映像信号が映像表示部１４に供給されて映像表示される。
【００３９】
そして、上記ステップＳ８またはステップＳ１３の後、制御部２９は、ステップＳ１４で、電源スイッチ１５がオフされたか否かを判別し、オフされていないと判断された場合（ＮＯ）、ステップＳ２の処理に戻され、オフされたと判断された場合（ＹＥＳ）、処理を終了（ステップＳ１５）する。
【００４０】
図４は、この発明の第２の実施の形態を示している。図４において、図２と同一部分に同一符号を付して説明すると、映像メモリ部２６には、その１Ｖメモリ２６ａ，２６ｂに対してリセットを行なうためのリセット部２６ｃが設けられている。
【００４１】
そして、上記無信号検出部３１から出力される検出信号は、映像メモリ部２６のリセット部２６ｃに供給されている。この場合、リセット部２６ｃは、検出信号が供給されている間、１Ｖメモリ２６ａ，２６ｂをリセット状態に保持し、映像メモリ部２６を動作停止状態とするように機能する。
【００４２】
このため、セレクタ２１で導出された映像信号が無信号状態になった場合には、映像メモリ部２６が動作停止状態に制御されるとともに、映像メモリ部２６に対して映像信号の入出力が遮断されことになるため、映像メモリ部２６で消費される電力がなくなり、省電力化を図ることができる。
【００４３】
図５は、図４に示したテレビジョン受信装置１１の主要な動作をまとめたフローチャートを示している。すなわち、処理が開始（ステップＳ１６）され、ステップＳ１７で、放送信号または外部機器２２からの映像信号が受信されると、無信号検出部３１は、ステップＳ１８で、無信号状態であるか否かを判別する。
【００４４】
そして、無信号状態でないと判断された場合（ＮＯ）、無信号検出部３１から検出信号が出力されないため、ステップＳ１９で、映像メモリ部２６が駆動状態となり、ステップＳ２０で、各スイッチ３３ａ〜３３ｃが導通状態に制御される。
【００４５】
これにより、ステップＳ２１で、映像処理部２５が映像メモリ部２６を使用して動き適応型の順次走査変換処理を実行する。この場合、動き検出部２５ａにより動画が検出されると前述したフィールド内処理が行なわれ、静止画が検出されると、フレーム処理が行なわれることになる。
【００４６】
その後、ステップＳ２２で、映像処理部２５によって動き適応型の順次走査変換処理が施されることによりプログレッシブ形式に変換された映像信号が、映像表示部１４に供給されて映像表示される。
【００４７】
一方、上記ステップＳ１８で無信号状態であると判断された場合（ＹＥＳ）、無信号検出部３１から検出信号が出力されるため、制御部２９は、ステップＳ２３で、映像処理部２５に対して映像メモリ部２６を使用しない順次走査変換処理を実行させる。すなわち、上記動き検出部２５ａの出力に無関係に、強制的に動画処理であるフィールド内処理を実行させる。
【００４８】
その後、ステップＳ２４で、各スイッチ３３ａ〜３３ｃが非導通状態に制御され、ステップＳ２５で、映像メモリ部２６がリセットにより動作停止状態となり、ステップＳ２６で、映像処理部２５によって順次走査変換処理が施された映像信号が映像表示部１４に供給されて映像表示される。
【００４９】
そして、上記ステップＳ２２またはステップＳ２６の後、制御部２９は、ステップＳ２７で、電源スイッチ１５がオフされたか否かを判別し、オフされていないと判断された場合（ＮＯ）、ステップＳ１７の処理に戻され、オフされたと判断された場合（ＹＥＳ）、処理を終了（ステップＳ２８）する。
【００５０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５１】
【図１】この発明の第１の実施の形態を示すもので、テレビジョン受信装置の外観を説明するために示す正面図。
【図２】同第１の実施の形態におけるテレビジョン受信装置の信号処理系を説明するために示すブロック構成図。
【図３】同第１の実施の形態におけるテレビジョン受信装置の主要な動作を説明するために示すフローチャート。
【図４】この発明の第２の実施の形態を示すもので、テレビジョン受信装置の信号処理系を説明するために示すブロック構成図。
【図５】同第２の実施の形態におけるテレビジョン受信装置の主要な動作を説明するために示すフローチャート。
【符号の説明】
【００５２】
１１…テレビジョン受信装置、１２…キャビネット、１３…支持台、１４…映像表示部、１５…電源スイッチ、１６…受信部、１７…基台、１８…アンテナ、１９…入力端子、２０…受信部、２１…セレクタ、２２…外部機器、２３…入力端子、２４…信号処理部、２５…映像処理部、２６…映像メモリ部、２７…制御部、２８…操作部、２９…リモートコントローラ、３０…メモリ部、３１…無信号検出部、３２…電源部、３３ａ〜３３ｃ…スイッチ、３４ａ〜３４ｃ…ライン。
【図１】
2006019969.tif 000003
【図２】
2006019969.tif 000004
【図３】
2006019969.tif 000005
【図４】
2006019969.tif 000006
【図５】
2006019969.tif 000007